(57)【要約】【課題】標示杭の規定寸法を確保しつつ、軽量化が可能な標示杭を提供する。【解決手段】標示杭１０の内部に肉抜き孔７が形成されているので、杭１０の寸法を規定の大きさに保持しながら、肉抜き分だけ杭１０の軽量化が可能となる。また、杭１０の打ち込み時に、肉抜き孔７に土が入ってかみこむ形になるから、杭１０のいたずら等による引き抜きを困難にすることができる。【選択図】　　　　　　　　図１
2004093487.tif 000002
【特許請求の範囲】
【請求項１】
地理的情報が付され、地盤に一部もしくは全部が埋入される樹脂製の標示杭であって、内部に先端方向に向かって開口し、頂面に開口しない肉抜き孔が、杭の長手方向に沿って形成されている標示杭。
【請求項２】
請求項１において、長手方向に沿って延びるフィンを有し、このフィンの内部に前記肉抜き孔が形成されている標示杭。
【請求項３】
請求項１において、地盤に埋入される本体と、地盤に一部もしくは全部が埋入される頭部とを有し、前記本体に前記フィンが設けられ、前記頭部に、頭部の下面から前記本体の先端方向に向かって開口する肉抜き孔が形成されている標示杭。
【発明の詳細な説明】
【０００１】
【発明の属する技術分野】
本発明は、土地の境界表示や測量などに用いられる標示杭に関するものである。
【０００２】
【従来の技術】
一般に、標示杭は、樹脂製で細長い形状を有して地盤に一部もしくは全部が埋入され、土地の境界表示や区画番号、基準点からの距離などの地理的情報が付されている。また、軽量化や打ち込み時の回転阻止などを目的として、長手方向に沿って延びる複数のフィンが設けられている場合がある。
【０００３】
【発明が解決しようとする課題】
ところで、標示杭の寸法は規定されているために、杭の重量が大きくなって、杭の搬送や打ち込み時などにおける取り扱い性が低下する。
【０００４】
そこで、本発明の目的は、標示杭の規定寸法を確保しつつ、軽量化が可能な標示杭を提供することにある。
【０００５】
【課題を解決するための手段】
前記目的を達成するため、本発明の標示杭は、地理的情報が付され、地盤に一部もしくは全部が埋入される樹脂製のものであって、内部に先端方向に向かって開口し、頂面に開口しない肉抜き孔が、杭の長手方向に沿って形成されている。
【０００６】
この構成によれば、杭の内部に肉抜き孔が形成されているので、杭の寸法を規定の大きさに保持しながら、肉抜き分だけ杭の軽量化が可能となる。また、杭の打ち込み時に、肉抜き孔に土が入ってかみこむ形になるから、杭のいたずら等による引き抜きを困難にすることができる。
【０００７】
好ましくは、長手方向に沿って延びるフィンを有し、このフィンの内部に前記肉抜き孔が形成されている。フィンは主として杭の軽量化のために設けられるが、肉抜き孔によってフィン自体が軽量化されて、杭を一層軽量化できる。
【０００８】
好ましくは、地盤に埋入される本体と、地盤に一部もしくは全部が埋入される頭部とを有し、前記本体に前記フィンが設けられ、前記頭部に、頭部の下面から前記本体の先端方向に向かって開口する肉抜き孔が形成されている。したがって、頭部も軽量化されて、杭をさらに軽量化できる。
【０００９】
【発明の実施の形態】
以下、本発明の一実施形態を図面に基づいて説明する。
図１（ａ）は本発明の第１実施形態に係る標示杭を示す斜視図、（ｂ）はその底面図、（ｃ）は（ａ）のｃ−ｃ断面図、（ｄ）は（ｂ）のｄ−ｄ断面図である。図１（ａ）に示す標示杭１０は細長い棒状の形状を有し、本体１は長手方向に延びる４つのフィン（尾根部）１１を有する横断面十字形（図１（ｃ））に形成されており、本体１の上方に連続する頭部２は四角柱状である。この本体１の打ち込み方向先端側には弾頭形状の先鋭部１２を形成し、かつ、頭部２側には土地の境界表示や区画番号、基準点からの距離、地下埋設物の情報などの地理的情報が頂部１３ａに付された金属や樹脂製のキャップ１３を取り付けている。この地理的情報は、区画番号を付した別部品のプレートを頭部２に装着することや、磁気的に読み出される情報を記憶した情報タグを頭部２内に収納することによって、頭部２に付加されることもある。
【００１０】
標示杭１０は樹脂製で、頭部２は、例えば、樹脂成形時に生じる樹脂かすや樹脂製品の廃物などを原料とするリサイクル樹脂によって本体１と一体形成される頭部基体２ａの上部に、キャップ１３が嵌合されている。ただし、キャップ１３は省略される場合もある。
【００１１】
図１（ｄ）に示すように、前記４つのフィン１１の内部に、それぞれ前記本体１の先端方向に向かって開口し、前記頭部２の頂面、つまりキャップ１３の頂面１３ａに開口しない肉抜き孔７が、杭１０の長手方向に沿って形成されている。この例では、各肉抜き孔７は先端の開口部７ａから頭部２の基体２ａの内部にまで延びているが、基体２ａの上面には開口していない。図１（ｃ）のように、肉抜き孔７は例えば三角形の孔形状を有するが、円形、四角形または台形などでもよい。
【００１２】
このように、フィン１１の内部に肉抜き孔７が形成されているので、杭の外形を所定の大きさに保持して標示や引き抜きにくさなどの機能を確保するとともに、各肉抜き孔７の肉抜き分だけ杭１０の軽量化が可能となる。
【００１３】
また、標示杭１０の地盤３０への打ち込み時に、肉抜き孔７に土が入り込んでかみこむ形になるから、これが標示杭１０の引き抜きに対する抵抗となって、標示杭１０のいたずら等による引き抜きを困難にすることができる。
【００１４】
図１（ｄ）に示す頭部２の基体２ａの内部に、頭部２の下面から本体１の先端方向に向かって開口する肉抜き孔８が形成されている。この例では、肉抜き孔８は、各フィン１１間における頭部２の下面に開口し、この開口部８ａから基体２ａの長手方向ほぼ中間位置まで延びている。図１（ｂ）のように、肉抜き孔８は例えば四角形の孔形状を有するが、円形または台形などでもよい。このように、頭部２の内部にも肉抜き孔８が形成されているので、肉抜き孔８の肉抜き分だけさらに杭１０の軽量化が可能となる。
【００１５】
また、頭部２の一部分も地盤に埋入されるので、上記と同様に、肉抜き孔８にも土が入り込んでかみこむ形になり、杭１０の引き抜きに対する抵抗となって、引き抜きをさらに一層困難にすることができる。
なお、頭部２の全部を地盤に埋入して、その頂面のみを露出させるようにしてもよい。
【００１６】
なお、図１（ｃ）に示すように、標示杭１０の中心部に二点鎖線で示す肉抜き孔９を設けてもよい。
【００１７】
なお、この実施形態では、フィン１１と頭部２の両方に肉抜き孔７、８を形成しているが、いずれか一方にのみ肉抜き孔を形成するようにしてもよい。
【００１８】
前記実施形態では、４つのフィン１１は横断面十字形に形成されているが、４つのフィン１１の形状は、図２（ａ）のように横断面Ｘ形でもよく、また、図２（ｂ）のように、３つのフィン１１により、横断面デルタ形としてもよい。上記と同様にこれらのフィン１１の内部に肉抜き孔７が形成される。
【００１９】
図３（ａ）は第２実施形態に係る標示杭を示す斜視図、（ｂ）はその底面図である。図３（ａ）に示すように、第２実施形態の標示杭は、第１実施形態と異なり、フィンが設けられていない。この標示杭２０は、先端の先鋭部を除いて、杭全体が四角柱状の形状を有し、杭の内部に、先端方向に向かって開口し、頂面に開口しない４つの肉抜き孔１７（図３（ｂ））が、杭２０の長手方向に沿って形成される。なお、第１実施形態の場合と同様に杭の頂面側にキャップが取り付けられることもある。
【００２０】
このように、杭２０の内部に肉抜き孔１７が形成されているので、第１実施形態と同様に、肉抜き分だけ杭の軽量化が可能となり、また杭２０が埋入するときに、この肉抜き孔１７に土が入ってかみこむ形になって、杭２０のいたずら等による引き抜きを困難にすることができる。
【００２１】
【発明の効果】
以上のように、本発明によれば、杭の内部に肉抜き孔が形成されているので、杭の寸法を規定の大きさに保持しながら、肉抜き分だけ杭の軽量化が可能となる。また、杭の打ち込み時に、肉抜き孔に土が入ってかみこむ形になるから、杭のいたずら等による引き抜きを困難にすることができる。
【図面の簡単な説明】
【図１】（ａ）は本発明の第１実施形態に係る標示杭を示す斜視図、（ｂ）はその底面図、（ｃ）は（ａ）のｃ−ｃ断面図、（ｄ）は（ｂ）のｄ−ｄ断面図である。
【図２】（ａ）、（ｂ）は第１実施形態の変形例を示すフィンの横断面図である。
【図３】（ａ）は第２実施形態に係る標示杭を示す斜視図、（ｂ）はその底面図である。
【符号の説明】
１…本体、２…頭部、７、８…肉抜き孔、１０、２０…標示杭、１１…フィン、１３…キャップ、３０…地盤。
【図１】
2004093487.tif 000003
【図２】
2004093487.tif 000004
【図３】
2004093487.tif 000005